(57)【要約】【課題】  紙葉類を空中にかざしたり、ブラックライトを手に取って照明するといったことなく、検査できるようにする。【解決手段】  装置本体１１と、この装置本体１１内に設けられ、紙葉類を搬送する搬送路２ａ、２ｂと、この搬送路２ａ、２ｂによって搬送される紙葉類を検査する検査部３と、この検査部３の検査結果に基づいて排除される紙葉類を集積する排除用集積部７と、装置本体１１の前面部に設けられた操作テーブル１２と、この操作テーブル１２に設けられ、排除用集積部７から取り出された紙葉類を一枚づつ載置させて照明するバックライト１５とを具備する。【選択図】      図１
2007058575.tif 000002
【特許請求の範囲】
【請求項１】
装置本体と、
この装置本体内に設けられ、紙葉類を搬送する搬送手段と、
この搬送手段によって搬送される紙葉類を検査する検査手段と、
この検査手段の検査結果に基づいて排除される紙葉類を集積する排除用集積部と、
前記装置本体の前面部に設けられた操作テーブルと、
この操作テーブルに設けられ、前記排除用集積部から取り出された紙葉類を一枚づつ載置させて照明するバックライトと、
を具備することを特徴とする紙葉類処理装置。
【請求項２】
装置本体と、
この装置本体内に設けられ、紙葉類を搬送する搬送手段と、
この搬送手段によって搬送される紙葉類を検査する検査手段と、
この検査手段の検査結果に基づいて排除される紙葉類を集積する排除用集積部と、
前記装置本体の前面部に設けられた操作テーブルと、
この操作テーブルに設けられ、前記排除用集積部から取り出された紙葉類を一枚づつ載置させて照明するバックライトと、
前記排除用集積部の天井部に設けられ、紙葉類を照明するブラックライトと
を具備することを特徴とする紙葉類処理装置。
【請求項３】
装置本体と、
この装置本体内に設けられ、紙葉類を搬送する搬送手段と、
この搬送手段によって搬送される紙葉類を検査するとともに、その画像を収集する検査手段と、
この検査手段の検査結果に基づいて排除される紙葉類を集積する排除用集積部と、
前記装置本体の前面部に設けられた操作テーブルと、
この操作テーブルに設けられ、前記排除用集積部から取り出された紙葉類を一枚づつ載置させて照明するバックライトと、
このバックライトの近傍に設けられ、前記検査部で収集された画像を表示するもので、前記バックライトによって照明される紙葉類と同一の画像を表示する表示部と
を具備することを特徴とする紙葉類処理装置。
【請求項４】
前記検査部で収集された画像からその記番号を読み取る読取手段を備える請求項３記載の紙葉類処理装置。
【発明の詳細な説明】
【技術分野】
【０００１】
本発明は、例えば、紙幣などの紙葉類を鑑査する銀行券鑑査機として適用される紙葉類処理装置に関する。
【背景技術】
【０００２】
銀行券鑑査機などの紙葉類処理装置においては、取出部から紙葉類を一枚ずつ取り出して搬送し、この搬送途中で鑑査部（以下、検査部という）によってその金種、正損などを読み取り、その読取結果に基づいて集積部に区分集積するようになっている。
【０００３】
また、検査部によって金種、正損などを機械的に読み取ることができなかった紙幣は、排除部に排除され、オペレータの手によって検査される（例えば、特許文献１参照。）。
【０００４】
オペレータの手による検査は、例えば、対象紙葉類を空中にかざして透かしを目視で確認したり、或いは、ブラックライトをあてて目視で、記番号を読む等などしている。
【特許文献１】特開２００２−１９３５１７号
【発明の開示】
【発明が解決しようとする課題】
【０００５】
しかしながら、従来においては、オペレータの手によって紙葉類を空中にかざしたり、ブラックライトを手に取って照明するといった動作が必要になり負担が大きく、また、検査に時間がかかるという問題があった。
【０００６】
本発明は上記事情に着目してなされたもので、その目的とするところは、紙葉類を空中にかざしたり、ブラックライトを手に取って照明するといったことなく、検査できるようにした紙葉類処理装置を提供することにある。
【課題を解決するための手段】
【０００７】
上記課題を解決するため、請求項１記載のものは、装置本体と、この装置本体内に設けられ、紙葉類を搬送する搬送手段と、この搬送手段によって搬送される紙葉類を検査する検査手段と、この検査手段の検査結果に基づいて排除される紙葉類を集積する排除用集積部と、前記装置本体の前面部に設けられた操作テーブルと、この操作テーブルに設けられ、前記排除用集積部から取り出された紙葉類を一枚づつ載置させて照明するバックライトとを具備する。
【０００８】
請求項２記載のものは、装置本体と、この装置本体内に設けられ、紙葉類を搬送する搬送手段と、この搬送手段によって搬送される紙葉類を検査する検査手段と、この検査手段の検査結果に基づいて排除される紙葉類を集積する排除用集積部と、前記装置本体の前面部に設けられた操作テーブルと、この操作テーブルに設けられ、前記排除用集積部から取り出された紙葉類を一枚づつ載置させて照明するバックライトと、前記排除用集積部の天井部に設けられ、紙葉類を照明するブラックライトとを具備する。
【０００９】
請求項３記載のものは、装置本体と、この装置本体内に設けられ、紙葉類を搬送する搬送手段と、この搬送手段によって搬送される紙葉類を検査するとともに、その画像を収集する検査手段と、この検査手段の検査結果に基づいて排除される紙葉類を集積する排除用集積部と、前記装置本体の前面部に設けられた操作テーブルと、この操作テーブルに設けられ、前記排除用集積部から取り出された紙葉類を一枚づつ載置させて照明するバックライトと、このバックライトの近傍に設けられ、前記検査部で収集された画像を表示するもので、前記バックライトによって照明される紙葉類と同一の画像を表示する表示部とを具備する。
【発明の効果】
【００１０】
本発明によれば、紙葉類の検査を少ない動作負担で行なうことができ、また、短時間での検査が可能になる。
【発明を実施するための最良の形態】
【００１１】
以下、本発明を図面に示す実施の形態を参照して詳細に説明する。  
図１は本発明の一実施の形態である銀行券鑑査機などの紙葉類処理装置を示す外観斜視図である。
【００１２】
紙葉類処理装置は装置本体１１を有し、この装置本体１１の前面部には操作テーブル１２が設けられ、この操作テーブル１２の上面部には表示部１４、バックライト１５が配設されている。表示部１４は後述する検査部で読み取られた紙幣などの紙葉類の画像を表示するもので、バックライト１５は、後述する排除用集積部７から取り出された紙葉類を載置させて照明するものである。
【００１３】
図２は装置本体１１の内部構成を示すものである。
【００１４】
図中１は紙葉類Ｐを取り出す取出部で、この取出部１で取り出された紙葉類Ｐは搬送路２ａに沿って搬送される。搬送路２ａ中には搬送される紙葉類Ｐを検査する検査部３が設けられている。
【００１５】
搬送路２ａの搬出端側には、検査された紙葉類Ｐを第１の方向とこの第１の方向と異なる第２の方向に振り分ける振分ゲート４が設けられている。振分ゲート４によって第１の方向に振り分けられた紙葉類は第１の分岐搬送路２ｂによって搬送され、第２の方向に振り分けられた紙葉類は第２の分岐搬送路２ｃによって搬送される。
【００１６】
第１の分岐搬送路２ｂの排出側には排除券を集積する排除用集積部７が設けられ、この排除用集積部７の内部天井には排除券を照明するブラックライト１７が設けられている。
【００１７】
第２の分岐搬送路２ｃの排出側には紙葉類Ｐを第３の方向とこの第３の方向と異なる第４の方向に振り分ける振分ゲート５が設けられている。振分ゲート５によって第３の方向に振り分けられた紙葉類は第３の分岐搬送路２ｄによって搬送され、第４の方向に振り分けられた紙葉類は第４の分岐搬送路２ｅによって搬送される。第３及び第４の分岐搬送路２ｃ、２ｄの排出側には券を集積する第１及び第２の集積部６ａ，６ｂが設けられている。
【００１８】
上記した検査部３は図３に示すように情報送信回路を介して制御部１９に接続され、制御部１９には制御回路を介して振分ゲート４，５及び表示部１４が接続されている。
【００１９】
検査部３は紙葉類の画像を収集することができるようになっており、制御部１９は検査部３で収集された画像から紙葉類の記番号が読み取ることができるようになっている。制御部１９は検査部３で収集された画像及びこの画像から読み取った紙葉類の記番号を表示部１４に表示するようになっている。また、制御部１９は検査部３で検査された情報に基づいて振分ゲート４を動作させる。
【００２０】
次に、紙葉類の処理動作について説明する。
【００２１】
取出部１の動作により紙葉類Ｐが上部側のものから順次、１枚ずつ取り出される。この紙葉類Ｐは搬送路２ａに沿って搬送され、その途中、検査部３よって各種の検査が施される。この検査情報は制御部１９に送信され、制御部１９はこの検査情報に基づいて振分ゲート４を動作させる。例えば、検査部３によって紙葉類の情報を読み取ることができず、制御部１９によりリジェクトすべきものであると判別された場合には、振分ゲート４が正方向に動作されて紙葉類Ｐを第１の分岐搬送路２ｂに振り分けられる。また、リジェクトすべきものでないと判別された場合には、振分ゲート４が逆方向に動作させて紙葉類Ｐは第２の分岐搬送路２ｃに振り分けられる。第１の分岐搬送路２ｂに振り分けられた紙葉類Ｐは、排除用集積部７に排除されて集積される。第２の分岐搬送路２ｃに振り分けられた紙葉類Ｐは、振分ゲート４により第３或いは第４の分岐搬送路２ｃ、２ｄに振り分けられて第１或いは第２の集積部６ａ，６ｂに所定枚数、例えば、１００枚づつ集積される。
【００２２】
ところで、上記した排除用集積部７に排除された紙葉類Ｐはオペレータによって排除用集積部７から取り出されて目視によって再度検査される。
【００２３】
次に、このオペレータによる紙葉類Ｐの検査方法について説明する。
【００２４】
排除用集積部７に集積された紙葉類は、オペレータによって１枚ずつ取り出され、操作テーブル１２のバックライト１５上に載置される。このバックライト１５の上に載置された紙葉類はバックライト１５によってその裏面側から照明され、この照明された紙葉類の透かしがオペレータの目視によって確認される。
【００２５】
このとき、表示部１４には検査部３により収集された紙葉類の画像（この画像はバックライト１５上で目視確認される紙葉類と同一の画像となっている）及びこの画像から読み取られた紙葉類の記番号が表示される。オペレータはバックライト１５上で照明される紙葉類と表示部１４に表示された画像及び記番号を比較して目視確認する。
【００２６】
このように目視で検査された紙葉類はその検査結果に応じて集積部に区分集積される。
【００２７】
上記したように、この実施の形態によれば、装置本体１１の前面部の操作テーブル１２にバックライト１５を設け、このバックライト１５上に紙幣を載置して照明してその透かしを目視確認するため、従来のように紙幣を空中にかざす必要がなく、最終検査が容易になる。
【００２８】
また、操作テーブル１２にバックライト１５の近傍に位置して表示部１４を設け、この表示部１４に検査部３で収集された画像及びこの画像から読み取られた記番号を表示するため、バックライト１５上で目視した紙葉類を表示部１４に表示される画像及び記番号と比較することができ、目視最終検査の精度を向上することができる。
【００２９】
また、排除用集積部７の内部天井にブラックライト１７を搭載するため、日本銀行総裁印の特殊発行インキを確認することができる。
【００３０】
図４は本発明の他の実施形態であるスーパーマーケットやコンビニエンスストアなどに設置されるキャッシュレジスターを示すものである。
【００３１】
キャッシュレジスターはその前面部に操作部２１を有し、この操作部２１の近傍には、バックライト２２が設けられている。
【００３２】
店員は、顧客から受け取った紙葉類をバックライト２２上に載置してその一部をキャッシュレジスターの特定部分にマグネットで固定し、バックライト２２により紙葉類の透かしを目視確認する。これにより、顧客を待たせることなく、自然な動作で紙葉類の透かしを確認することができる。
【００３３】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３４】
【図１】本発明の一実施の形態である銀行券鑑査機を示す外観斜視図。
【図２】図１の銀行券鑑査機の内部構成を示す図。
【図３】図１の銀行券鑑査機の制御系を示すブロック図。
【図４】本発明の他の実施の形態であるキャッシュレジスタを示す外観斜視図。
【符号の説明】
【００３５】
２ａ、２ｂ…搬送路（搬送手段）、３…検査部（検査手段）、７…排除用集積部、１１…装置本体、１２…操作テーブル、Ｐ…紙葉類、１４…表示部、１５…バックライト、１７…ブラックライト、１９…制御部（読取手段）。
【図１】
2007058575.tif 000003
【図２】
2007058575.tif 000004
【図３】
2007058575.tif 000005
【図４】
2007058575.tif 000006